(57)【要約】      （修正有）【課題】新聞、雑誌等の包装材料費を低減できるようにした包装フィルム及び該包装フィルムを用いた包装体を提供する。【解決手段】上方から繰り出された上方ポリエチレンフィルム１０９と、下方から繰り出された下方ポリエチレンフィルム１１０とで、被包装物１２１を上下から包み、上下のポリエチレンフィルムの周縁を熱溶着して被包装物を包装するために用いられる包装フィルムにおいて、前記上方ポリエチレンフィルムのフィルムロールと、前記下方ポリエチレンフィルムのフィルムロールとを備え、前記上方ポリエチレンフィルムは、透明なフィルムからなり、前記下方ポリエチレンフィルムは、前記上方ポリエチレンフィルムより厚く、着色料を０．０５〜１質量％含有するフィルムからなる。【選択図】図１２
2018076097.tif 000002
【特許請求の範囲】
【請求項１】
上方から繰り出された上方ポリエチレンフィルムと、下方から繰り出された下方ポリエチレンフィルムとで、被包装物を上下から包み、上下のポリエチレンフィルムの周縁を熱溶着して被包装物を包装するために用いられる包装フィルムにおいて、
前記上方ポリエチレンフィルムのフィルムロールと、前記下方ポリエチレンフィルムのフィルムロールとを備え、
前記上方ポリエチレンフィルムは、透明なフィルムからなり、
前記下方ポリエチレンフィルムは、前記上方ポリエチレンフィルムより厚く、着色料を０．０５〜１質量％含有するフィルムからなることを特徴とする包装用フィルム。
【請求項２】
前記下方ポリエチレンフィルムの厚さは、１５〜４５μｍであり、
前記上方ポリエチレンフィルムの厚さは、前記下方ポリエチレンフィルムより３〜２０μm薄くされている、請求項１記載の包装用フィルム。
【請求項３】
前記被包装物が新聞又は雑誌である、請求項１又は２記載の包装用フィルム。
【請求項４】
被包装物と、前記被包装物の上面を覆う上方ポリエチレンフィルムと、前記被包装物の下面を覆う下方ポリエチレンフィルムとを備え、
前記上方ポリエチレンフィルムと前記下方ポリエチレンフィルムとの周縁が熱溶着されて前記被包装物が包装されており、
前記上方ポリエチレンフィルムは、透明なフィルムからなり、
前記下方ポリエチレンフィルムは、前記上方ポリエチレンフィルムより厚く、着色料を０．０５〜１質量％含有するフィルムからなることを特徴とする包装体。
【請求項５】
前記下方ポリエチレンフィルムの厚さは、１５〜４５μｍであり、
前記上方ポリエチレンフィルムの厚さは、前記下方ポリエチレンフィルムより３〜２０μm薄くされている、請求項４記載の包装体。
【請求項６】
前記被包装物が新聞又は雑誌である、請求項４又は５記載の包装体。
【請求項７】
前記上方ポリエチレンフィルムの内側であって前記被包装物の上面に、発送先情報が記載された宛名シートが配置されている、請求項４〜６のいずれか１項に記載の包装体。
【請求項８】
前記被包装物の下面を覆う下方ポリエチレンフィルムと、前記被包装物の上面を覆う上方ポリエチレンフィルムとの面積比が、１：１．１〜３．５である請求項４〜７のいずれか１項に記載の包装体。
【発明の詳細な説明】
【技術分野】
【０００１】
本発明は、新聞、雑誌等の包装に好適な包装フィルム及び包装体に関する。
【背景技術】
【０００２】
新聞社や、出版取次会社では、新聞や雑誌等を送付先毎に積み重ねた束を、ポリエチレンフィルムで上下から包み、その周縁を熱溶着して包装し、必要に応じて包装フィルムの上から結束バンドで縛って発送している。新聞や雑誌等を積み重ねた束からなる被包装物の上面には、発送先の住所、氏名又は名称、被包装物の冊数、それらの情報を含むバーコードなどの発送先情報が記載されたシートが貼付され、包装フィルムの外側から、バーコードリーダで読んだり、作業員が発送先等を視認できるようにしている。
【０００３】
このような被包装物の包装は、下記特許文献１に記載された包装機などによって行われている。すなわち、上方フィルムロールから繰り出された上方ポリエチレンフィルムと、下方フィルムロールから繰り出された下方ポリエチレンフィルムとを、熱溶着によって接合した状態で、その接合部付近に向けて被包装物を挿入して、被包装物を上方ポリエチレンフィルムと下方ポリエチレンフィルムとで上下から覆い、被包装物の挿入方向に対して基端側で上下のポリエチレンフィルムを熱溶着すると共に溶断し、かつ、被包装物の両側で上下のポリエチレンフィルムを熱溶着することにより、被包装物をポリエチレンフィルムで包装するようにしている。
【先行技術文献】
【特許文献】
【０００４】
【特許文献１】特公昭５１−４１５４５号公報
【発明の概要】
【発明が解決しようとする課題】
【０００５】
近年、様々な費用の節減が望まれている中、新聞や雑誌の包装フィルムにおいても、何等かの方法で、費用を節減する努力をすることが望まれている。
【０００６】
そのような要望に応える１つの手段として、本発明者は、ポリエチレンフィルムを薄くして材料コストを低減させることを思い付いて種々研究したところ、下方に配置されるポリエチレンフィルムは、包装機による包装作業時や、出荷先毎に振り分ける搬送作業時等において、被包装物が乗った状態で摺り動かされるため、取り扱い時に破れないように、ある程度の厚さが必要とされるが、上方に配置されるポリエチレンフィルムは、比較的薄くしても、実用上の支障が生じないことがわかった。
【０００７】
しかしながら、下方に配置される比較的厚いポリエチレンフィルムロールと、上方に配置される比較的薄いポリエチレンフィルムロールとを提供した際、包装作業を行う作業員は、その厚さの違いがよくわからず、下方に配置されるポリエチレンフィルムロールを包装装置の上方に設置し、上方に配置されるポリエチレンフィルムロールを下方に設置して包装作業を行ってしまう可能性があることがわかった。
【０００８】
したがって、本発明の目的は、新聞、雑誌等の包装材料費を低減できるようにした包装フィルム及び該包装フィルムを用いた包装体を提供することにある。
【課題を解決するための手段】
【０００９】
上記目的を達成するため、本発明の包装用フィルムは、上方から繰り出された上方ポリエチレンフィルムと、下方から繰り出された下方ポリエチレンフィルムとで、被包装物を上下から包み、上下のポリエチレンフィルムの周縁を熱溶着して被包装物を包装するために用いられる包装フィルムにおいて、
前記上方ポリエチレンフィルムのフィルムロールと、前記下方ポリエチレンフィルムのフィルムロールとを備え、
前記上方ポリエチレンフィルムは、透明なフィルムからなり、
前記下方ポリエチレンフィルムは、前記上方ポリエチレンフィルムより厚く、着色料を０．０５〜１質量％含有するフィルムからなることを特徴とする。
【００１０】
本発明の包装用フィルムにおいて、前記下方ポリエチレンフィルムの厚さは、１５〜４５μｍであり、前記上方ポリエチレンフィルムの厚さは、前記下方ポリエチレンフィルムより３〜２０μm薄くされていることが好ましい。
【００１１】
本発明の包装用フィルムにおいては、前記被包装物が新聞又は雑誌であることが好ましい。
【００１２】
一方、本発明の包装体は、被包装物と、前記被包装物の上面を覆う上方ポリエチレンフィルムと、前記被包装物の下面を覆う下方ポリエチレンフィルムとを備え、
前記上方ポリエチレンフィルムと前記下方ポリエチレンフィルムとの周縁が熱溶着されて前記被包装物が包装されており、
前記上方ポリエチレンフィルムは、透明なフィルムからなり、
前記下方ポリエチレンフィルムは、前記上方ポリエチレンフィルムより厚く、着色料を０．０５〜１質量％含有するフィルムからなることを特徴とする。
【００１３】
本発明の包装体において、前記下方ポリエチレンフィルムの厚さは、１５〜４５μｍであり、前記上方ポリエチレンフィルムの厚さは、前記下方ポリエチレンフィルムより３〜２０μm薄くされていることが好ましい。
【００１４】
本発明の包装体においては、前記被包装物が新聞又は雑誌であることが好ましい。
【００１５】
本発明の包装体においては、前記上方ポリエチレンフィルムの内側であって前記被包装物の上面に、発送先情報が記載された宛名シートが配置されていることが好ましい。
【００１６】
また、本発明の包装体においては、前記被包装物の下面を覆う下方ポリエチレンフィルムと、前記被包装物の上面を覆う上方ポリエチレンフィルムとの面積比が、１：１．１〜３．５であることが好ましい。
【発明の効果】
【００１７】
本発明によれば、上方ポリエチレンフィルムは、透明なフィルムからなり、下方ポリエチレンフィルムは、上方ポリエチレンフィルムより厚く、着色料を０．０５〜１質量％含有するフィルムからなるので、ポリエチレンフィルムロールにした状態で、上方ポリエチレンフィルムのロールは透明に見えるが、下方ポリエチレンフィルムのロールは、うっすらと色づいて見える。このため、作業者が、包装装置にセットする際に、上方ポリエチレンフィルムのロールと下方ポリエチレンフィルムのロールとを間違えることがない。
【００１８】
また、下方ポリエチレンフィルムを上方ポリエチレンフィルムよりも厚くしたことにより、包装機による包装作業時や、出荷先毎に振り分ける搬送作業時等において、被包装物が乗った状態で摺り動かされても、下方ポリエチレンフィルムが破れにくくすることができると共に、全体的なポリエチレンの使用量を低減させることができる。
【００１９】
更に、下方ポリエチレンフィルムの着色料の含有量を０．０５〜１質量％としたことによって、フィルムを引き出した状態では、着色されていることが判別しにくいが、ロール状にした状態では、着色されていることがはっきりわかるため、着色料の使用量を必要最低限にすることができる。
【００２０】
このように、ポリエチレンの使用量を低減させ、着色料の使用量を必要最低限にすることによって、材料コストの低減を図ることができる。
【００２１】
また、上方ポリエチレンフィルムは透明なので、被包装物の上面に、発送先情報が記載されたシートが配置されている場合、発送先情報が見えにくくなってしまうことを防止できる。
【００２２】
更に、下方ポリエチレンフィルムも、着色料の使用量が必要最低限にされているので、十分な透明性が確保され、内部を視認しやすくなっている。
【図面の簡単な説明】
【００２３】
【図１】本発明の包装フィルムを用いた包装に適用される包装装置の一例を示す概略正面図である。
【図２】図１のII―II線に沿って見た同包装装置の概略側面図である。
【図３】同包装装置に被包装物を投入する前の状態を示す説明図である。
【図４】同包装装置に被包装物を投入した状態を示す説明図である。
【図５】同包装装置において、第１コンベヤで被包装物を押圧した状態を示す説明図である。
【図６】同包装装置において、第２コンベヤに被包装物を移動させた状態を示す説明図である。
【図７】同包装装置において、被包装物の基端側にて、上下のポリエチレンフィルムを溶着すると共に溶断する状態を示す説明図である。
【図８】同包装装置において、被包装物を第３コンベヤに移動した状態を示す説明図である。
【図９】同包装装置において、被包装物の両側部にて、上下のポリエチレンフィルムを溶着した状態を示す説明図である。
【図１０】本発明の包装フィルムの一実施形態を示す斜視図である。
【図１１】本発明の包装体の一実施形態を示す側面図である。
【図１２】本発明の包装体の一実施形態を示す斜視図である。
【発明を実施するための形態】
【００２４】
まず、本発明の包装フィルムが適用される包装装置の一例について説明する。
図１に示すように、この包装装置１００は、上下一対の第１コンベヤ１０１と、第１コンベヤ１０１に隣接配置された上下一対の第２コンベヤ１０２と、第２コンベヤ１０２に隣接配置された上下一対の第３コンベヤ１０３とを有している。
【００２５】
図２に示すように、第１コンベヤ１０１、第２コンベヤ１０２，第３コンベヤ１０３の上方のコンベヤは、それぞれ昇降ガイド１１９によって昇降可能に支持され、エアシリンダ１０５によって昇降動作するようになっている。また、下方の第１コンベヤ１０１には、突起１１７、１１８が取付けられており、被包装物１２１の後部を押す位置にくるように同調制御されるようになっている。
【００２６】
再び図１を参照すると、第１コンベヤ１０１の第２コンベヤ１０２と反対側には投入コンベヤ１０４が配置されている。包装装置１００の下部には、電動機１０６が設置されており、この電動機１０６によって第１コンベヤ１０１，第２コンベヤ１０２，第３コンベヤ１０３，投入コンベヤ１０４が回転するようになっている。なお、それぞれに設けられたクラッチブレーキによって、第１コンベヤ１０１，第２コンベヤ１０２，第３コンベヤ１０３，投入コンベヤ１０４は、それぞれ独立して回転できるようになっている。また、それぞれのコンベヤに別々の電動機が設けられて、独立して回転できるようにしてもよい。
【００２７】
包装装置１００の上方には上方フィルムロール１０７が設置され、下方には下方フィルムロール１０８が設置されるようになっている。上方フィルムロール１０７から上方ポリエチレンフィルム１０９が引き出され、ガイドローラ１１１，テンションローラ１１２を介して、第１コンベヤ１０１と第２コンベヤ１０２との間を通って下方に引き出されるようになっている。下方フィルムロール１０８から下方ポリエチレンフィルム１１０が引き出され、ガイドローラ１１１，テンションローラ１１２を介して、第１コンベヤ１０１と第２コンベヤ１０２との間を通って上方に引き出されるようになっている。上方ポリエチレンフィルム１０９と下方ポリエチレンフィルム１１０とは、先の包装工程で溶着されると共に溶断されてできたクロス溶着部１２０で連結されている。
【００２８】
下方の第１コンベヤ１０１の終端部上方には、ストッパ１１４が退避可能に配置されている。また、第１コンベヤ１０１と第２コンベヤ１０２との間には、上下一対の移動ローラ１１３が配置されており、この移動ローラ１１３は、図中想像線で示す位置との間で移動可能となっている。
【００２９】
また、第１コンベヤ１０１と第２コンベヤ１０２との間には、上下に配置された一対のクロスシーラ１１５ａ、１１５ｂが昇降可能に配置されている。一対のクロスシーラ１１５ａ、１１５ｂは、上方フィルムロール１０７から引き出された上方ポリエチレンフィルム１０９と、下方フィルムロール１０８から引き出された下方ポリエチレンフィルム１１０とを挟持して加熱することにより、溶着すると共に溶断するためのものである。
【００３０】
更に、上下の第３コンベヤ１０３が配置された部分の両側には、上下に配置された一対のサイドシーラ１１６ａ、１１６ｂがそれぞれ配置されている。一対のサイドシーラ１１６ａ、１１６ｂは、被包装物１２１の両側で上方ポリエチレンフィルム１０９と下方ポリエチレンフィルム１１０とを溶着するためのものである。
【００３１】
次に、上記包装装置を用いた包装方法の一例を説明する。
図３に示すように、新聞、雑誌などの束からなる被包装物１２１が投入コンベヤ１０４上に載置されると、図示しないセンサによって投入コンベヤ１０４、第１コンベヤ１０１が作動し、図４に示すように、被包装物１２１を下方の第１コンベヤ１０１上に移動させる。被包装物１２１は、ストッパ１１４によって移動を規制されて、上下に重なった新聞、雑誌などが上下方向に整列される。
【００３２】
被包装物１２１が下方の第１コンベヤ１０１上に配置され、ストッパ１１４によって移動を規制されると、図示しないセンサによってその状態が検知されて第１コンベヤ１０１の回転が一時的に停止し、図５に示すように、上方の第１コンベヤ１０１が下降して下方の第１コンベヤ１０１との間で被包装物１２１を圧縮する。このとき、移動ローラ１１３は図中の実線で示すように移動して、被包装物１２１の経路から一時退避する。
【００３３】
次いで、図６に示すように、第１コンベヤ１０１、第２コンベヤ１０２が作動して被包装物１２１を第２コンベヤ１０２上に移動させる。このとき、クロス溶着部１２０で連結された上方ポリエチレンフィルム１０９と下方ポリエチレンフィルム１１０とが被包装物１２１によって引っ張り出され、被包装物１２１の上下面を覆うように配置される。被包装物１２１が下方の第２コンベヤ１０２上に移動すると、上方の第２コンベヤ１０２が下降して被包装物１２１を挟み付けて所定位置まで移動させる。被包装物１２１が第２コンベヤ１０２の所定位置に移動すると、図示しないセンサによって第１コンベヤ１０１、第２コンベヤ１０２の作動が停止する。また、移動ローラ１１３が実線で示す位置に戻り、被包装物１２１の後方で上方ポリエチレンフィルム１０９と下方ポリエチレンフィルム１１０とを近づく方向に移動させる。
【００３４】
この状態で、図７に示すように、上方に待機していたクロスシーラ１１５ａが下降し、下方に待機していたクロスシーラ１１５ｂが上昇して、被包装物１２１の後方に延出された上方ポリエチレンフィルム１０９と下方ポリエチレンフィルム１１０とが、クロスシーラ１１５ａ、１１５ｂによって挟持され、溶着されると共に、その部分で溶断される。
【００３５】
その後、第２コンベヤ１０２と第３コンベヤ１０３が作動し、図８に示すように、被包装物１２１は、下方の第３コンベヤ１０３上に移動し、その状態で上方の第３コンベヤ１０３が下降して、被包装物１２１を挟み付ける。被包装物１２１が第３コンベヤ１０３の所定位置に配置されると、第２コンベヤ１０２と第３コンベヤ１０３が停止し、図９に示すように、上方の第２コンベヤ１０２が上方に退避する。また、上方に待機していたサイドシーラ１１６ａが下降し、下方に待機していたサイドシーラ１１６ｂが上昇して、被包装物１２１の両側に延出された上方ポリエチレンフィルム１０９と下方ポリエチレンフィルム１１０とが、両側のサイドシーラ１１６ａ、１１６ｂによって挟持されて、その部分で溶着される。
【００３６】
こうして、図１１，１２に示すように、被包装物１２１は、上方ポリエチレンフィルム１０９と下方ポリエチレンフィルム１１０とによって上下から覆われて、クロス溶着部１２０、サイド溶着部１２２によって封止された状態となる。
【００３７】
本発明の包装フィルムは、新聞、雑誌などの束からなる被包装物１２１を、上記のような包装方法によって包装するのに用いられるフィルムであって、図１０に示す、上方ポリエチレンフィルム１０９を巻き取った上方フィルムロール１０７と、下方ポリエチレンフィルム１１０を巻き取った下方フィルムロール１０８とからなるものである。
【００３８】
ここで、本発明の包装フィルムの特徴は、上方ポリエチレンフィルム１０９が透明なフィルムからなり、下方ポリエチレンフィルム１１０が上方ポリエチレンフィルム１０９より厚く、着色料を０．１〜０．５質量％含有するフィルムからなることにある。
【００３９】
この場合、下方ポリエチレンフィルム１１０の厚さは、１５〜４５μｍが好ましく、２０〜３５μｍであることがより好ましい。また、上方ポリエチレンフィルム１０９の厚さは、下方ポリエチレンフィルム１１０より３〜２０μm薄くされていることが好ましく、下方ポリエチレンフィルム１１０より３〜１０μm薄くされていることがより好ましく、下方ポリエチレンフィルム１１０より４〜８μｍ薄くされていることが最も好ましい。
下方ポリエチレンフィルム１１０の厚さが１５μｍ未満では、前述した包装工程やその後の移動工程において、下方ポリエチレンフィルム１１０が破れやすくなる可能性があり、下方ポリエチレンフィルム１１０の厚さが４５μｍを超えると、必要以上にフィルム材料を使うことになるので経済的ではない。
【００４０】
また、上方ポリエチレンフィルム１０９の厚さの下方ポリエチレンフィルム１１０の厚さに対する減少量が、３μｍ未満では、材料コストを低減する効果が乏しくなる傾向があり、２０μｍを超えると、上方ポリエチレンフィルム１０９が破れやすくなる可能性がある。
【００４１】
また、下方ポリエチレンフィルム１１０の着色料としては、特に限定されないが、公知の着色顔料が好ましく用いられる。着色顔料としては、無機顔料、有機顔料など、その種類は限定されない。その色は特に限定されないが、材料コストが安く、少量でも色付きがわかりやすい色が好ましく用いられる。
【００４２】
下方ポリエチレンフィルム１１０中の着色料の含有量は、０．０５〜１質量％とされ、好ましくは０．２〜０．５質量％とされる。下方ポリエチレンフィルム１１０中の着色料の含有量が０．０５質量％未満では、下方フィルムロール１０８とした状態でも、透明な上方ポリエチレンフィルム１０９からなる上方フィルムロール１０７との区別が付きにくくなる。また、１質量％を超えると、上方フィルムロール１０７と下方フィルムロール１０８との区別をする上で、着色料を必要以上に含むこととなり、経済的でない。
【００４３】
下方ポリエチレンフィルム１１０中の着色料の含有量を０．１〜０．５質量％とすることにより、下方フィルムロール１０８とした状態では、フィルムの重なりによって着色料による色付きが明瞭に視認できる程度となり、透明な上方フィルムロール１０７と間違う虞れがなくなる。また、下方フィルムロール１０８から下方ポリエチレンフィルム１１０を引き出した状態では、十分な透明性が保持されており、包装された被包装物１２１を外部から視認しやすくなる。したがって、着色料の使用量を最低限にして製造コストの上昇を抑制できると共に、包装作業時において、包装装置１００にセットする上方フィルムロール１０７と下方フィルムロール１０８とを取り違える虞れを低減することができる。
【００４４】
本発明の包装体１２５は、図１１、１２に示すように、新聞、雑誌の束などからなる被包装物１２１の上面が上方ポリエチレンフィルム１０９によって覆われ、下面が下方ポリエチレンフィルム１１０によって覆われていて、上方ポリエチレンフィルム１０９、下方ポリエチレンフィルム１１０の対向する一対の端部がクロス溶着部１２０によって連結され、それとは直角方向に対向する一対の端部がサイド溶着部１２２によって連結されて、全体が上方ポリエチレンフィルム１０９，下方ポリエチレンフィルム１１０によって覆われた形態をなしている。
【００４５】
この場合、被包装物１２１の下面を覆う下方ポリエチレンフィルム１１０と、被包装物１２１の上面を覆う上方ポリエチレンフィルム１０９との面積比は、１：１．１〜３．５であることが好ましく、１：１．５〜３であることがより好ましい。下方ポリエチレンフィルム１１０と上方ポリエチレンフィルム１０９との面積比を上記のような範囲に設定することにより、包装作業や移動作業における強度を保持しつつ、全体としてのポリエチレンフィルムの使用量を少なくすることができ、原料コストの低減効果を高めることができる。なお、下方ポリエチレンフィルム１１０と上方ポリエチレンフィルム１０９との面積比は、下方ポリエチレンフィルム１１０と上方ポリエチレンフィルム１０９とを溶着するクロスシーラ１１５ａ、１１５ｂ、並びにサイドシーラ１１６ａ、１１６ｂのヒートシール高さや、下方ポリエチレンフィルム１１０と上方ポリエチレンフィルム１０９の幅などを変えることによって調整することができる。
【００４６】
図１２に示すように、被包装物１２１の上面には、送付先、送付部数、発行元、日付、それらの情報を含むバーコードなどの情報が付された宛名シート１２３が載置され、上方ポリエチレンフィルム１０９の内側に配置されている。この場合、上方ポリエチレンフィルム１０９は透明なフィルムからなるので、宛名シート１２３の表示内容を鮮明に読み取ることができる。なお、包装体包装体１２５は、結束バンド１２４によって結束されていることが好ましく、それによって内部で被包装物１２１がばらけることを防止できる。
【００４７】
以上のような本発明による包装フィルム並びに包装体によれば、ポリエチレンフィルムの樹脂材料の使用量を低減させ、着色料の使用量は必要最小限に抑えて、製造コストを低減することができる。また、下方ポリエチレンフィルムのフィルムロールは、明瞭に視認できる程度に色付いているので、作業者が、包装装置にセットする際に、厚さが異なる上方ポリエチレンフィルムのフィルムロールと下方ポリエチレンフィルムのフィルムロールとを取り違える虞れをなくすことができる。
【００４８】
また、下方ポリエチレンフィルムを上方ポリエチレンフィルムよりも厚くしたことにより、包装装置による包装作業時や、出荷先毎に振り分ける搬送作業時等において、被包装物が乗った状態で摺り動かされても、下方ポリエチレンフィルムが破れにくくすることができる。
【００４９】
また、上方ポリエチレンフィルムは透明なので、被包装物の上面に、発送先情報が記載されたシートが配置されている場合、発送先情報が見えにくくなってしまうことを防止できる。更に、下方ポリエチレンフィルムも、着色料の使用量が必要最低限にされているので、十分な透明性が確保され、内部を視認しやすくなっている。
【符号の説明】
【００５０】
１００  包装装置
１０１  第１コンベヤ
１０２  第２コンベヤ
１０３  第３コンベヤ
１０４  投入コンベヤ
１０５  エアシリンダ
１０６  電動機
１０７  上方フィルムロール
１０８  下方フィルムロール
１０９  上方ポリエチレンフィルム
１１０  下方ポリエチレンフィルム
１１１  ガイドローラ
１１２  テンションローラ
１１３  移動ローラ
１１４  ストッパ
１１５ａ  クロスシーラ
１１５ｂ  クロスシーラ
１１６ａ  サイドシーラ
１１６ｂ  サイドシーラ
１１７  突起
１１８  突起
１１９  昇降ガイド
１２０  クロス溶着部
１２１  被包装物
１２２  サイド溶着部
１２３  宛名シート
１２４  結束バンド
１２５  包装体
【図１】
2018076097.tif 000003
【図２】
2018076097.tif 000004
【図３】
2018076097.tif 000005
【図４】
2018076097.tif 000006
【図５】
2018076097.tif 000007
【図６】
2018076097.tif 000008
【図７】
2018076097.tif 000009
【図８】
2018076097.tif 000010
【図９】
2018076097.tif 000011
【図１０】
2018076097.tif 000012
【図１１】
2018076097.tif 000013
【図１２】
2018076097.tif 000014